(57)【要約】      （修正有）【課題】構造が簡単であり、組み立てが容易であり、業者の生産コストを低減できる電弧遮断を具えるリレーを提供する。【解決手段】本電弧遮断を具えるリレーは、底台、磁性吸引部材及び外蓋部材を含み、外蓋の接点スイッチがオフオン動作する位置に対応する箇所に永久磁石を設ける設定であり、永久磁石の磁性作用力により電弧に影響を及ぼし、電弧を消滅するまで迅速に引き伸ばし、この方式を採用することは、構造が簡単で、組み立てが容易で、業者の生産コストを低減する等の効果を有する。【選択図】図１
0003173878.tif 000002
【実用新案登録請求の範囲】
【請求項１】
底台と、磁性吸引部材と、外蓋と、を含み、そのうち、
該磁性吸引は、底台上に設置され、該磁性吸引部材は、２つの接点スイッチ及び複数の端子を含み、該２つの接点スイッチの間に隙間を有し、該複数の端子は、その末端が該底台底端まで貫通設置される。該外蓋一端に収容溝を設け、該外蓋の収容溝は、該底台上に被せ設けられ、磁性吸引部材の接点スイッチが収容溝内に位置し、該外蓋は、該２つの接点スイッチ周側の何れか一側に対応して内向きに側溝を凹設し、且つ該側溝内に該２つの接点スイッチに対応する永久磁石を設置し、
前記永久磁石の磁性作用力によって、該接点スイッチの動作が発生するアークに影響を及ぼし、電弧は、磁性作用力を受けて引き伸ばされ、迅速に消滅される電弧遮断を具えるリレー。
【請求項２】
前記外蓋は、収容溝内に仕切り板を設け、且つ該仕切り板は、該２つの接点スイッチの間の隙間に位置する請求項１に記載の電弧遮断を具えるリレー。
【請求項３】
底台、磁性吸引部材及び外蓋を含み、そのうち、
該外蓋の一端に収容溝を設け、該収容溝の溝底に複数の外蓋を貫通する貫通孔を設け、該外蓋一側に少なくとも１つの側溝を設け、且つ該少なくとも１つの側溝は、少なくとも１つの永久磁石を設置し、該底台密封蓋は、該外蓋の収容溝の溝口箇所に設置され、該磁性吸引部材は、底台上に設置され、該収容溝内に位置し、該磁性吸引部材は、２つの接点スイッチ及び複数の端子を含み、該少なくとも１つの永久磁石は、該２つの接点スイッチの何れか一側方向に位置し、該２つの接点スイッチの間に隙間を有し、該複数の端子の末端は、該貫通孔外に貫通設置され、
前記永久磁石の作用力により、該少なくとも２つの接点スイッチの動作が発生する電弧に影響を及ぼし、電弧は、磁性作用力を受けて引き伸ばされて迅速に消滅する電弧遮断を具えるリレー。
【請求項４】
前記外蓋は、収容溝内に仕切り板を設け、且つ該仕切り板は、該２つの接点スイッチの間の隙間に位置する請求項３に記載の電弧遮断を具えるリレー。
【請求項５】
底台、磁性吸引部材及び外蓋を含み、そのうち、
該磁性吸引部材は、底台上に設置され、且つ磁性吸引部材は、２つの接点スイッチ及び複数の端子を含み、該２つの接点スイッチの間に隙間を有し、該底蓋の一側に収容溝を有し、該外蓋の収容溝は、該底台上に被さり、磁性吸引部材の接点スイッチが収容溝内に位置し、該外蓋は、収容溝底部に外蓋を貫通する複数の貫通孔を設け、該磁性吸引部材の複数の端子は、該複数の貫通孔に貫通設置され、更に、収容溝内において、該２つの接点スイッチの間の隙間に対応して仕切り板を設け、且つ該仕切り板は、透過孔を設け、該透過孔は、該２つの接点スイッチに対応する永久磁石を設け、
前記永久磁石の作用力により、該少なくとも２つの接点スイッチの動作が発生する電弧に影響を及ぼし、電弧は、磁性作用力を受けて引き伸ばされて迅速に消滅する電弧遮断を具えるリレー。
【考案の詳細な説明】
【技術分野】
【０００１】
本考案は、電子部材に関し、特に、電弧遮断を具えるリレーであり、電弧を迅速に遮断する効果を有し、電弧効果がリレー内部部材の使用寿命を短縮することを回避する。
【背景技術】
【０００２】
リレー(Relay)は、電子制御装置であり、電子回路の制御の自動化に応用され、例えば、通信交換機、工業制御、車両又はエアコン等は、何れもその応用を有し、実際に、比較的小さい電流を用い、比較的大きな電流を制御する電子式自動スイッチである。リレーは、電子回路において、自動調節、安全保護、変換回路等の役割を担う。
【０００３】
リレーの構造及び動作特性について言えば、リレーは、一般に入力センサ機構及び出力実行機構部分から組成され、入力センサ機構は、入力量の変化に反応することに用い、出力実行機構は、接点を有するリレーにおいて、接点による分岐をリレーの動作の方式とし、リレーは、ジャンプする入力-出力特性を有し、リレーが１つの入力信号を受信する際、該入力信号がリレーの設定した作動値より小さい時、該リレーは、動作せず、入力信号が設定した作動値に達する時、リレーが動作し、リレーの出力実行機構の回路の接点に接続し、０から要求される信号電位に適合するまで変化し、且つリレーの動作後、入力信号が高点から下方へ持続的に減衰し、出力実行機構の動作特性は、線形方式で０点に戻ることがなく、入力信号が作動値より小さくなった瞬間に、リレーは、出力実行機構を０に変化させる。
【０００４】
リレーは、構造特徴に基づき、電磁式リレー、熱に敏感なリードリレー、固体リレー等に分けることができ、そのうち、電磁式リレーは、一般に、リール、コイル、鉄芯、磁極等の構造から組成される。コイルの両端に一定の電圧を加えることによって、コイル中に流れる電流に電磁効果を発生させ、磁極は、中弾性片又はバネの張力を克服して鉄芯に吸引され、即ち、回路の導通、スイッチの実行動作とすることができる。
【０００５】
一般に、リレーは、接点スイッチに電流を通過させた状態で、接点スイッチを開閉する時、一定距離の間の空気において、火花を発生し、これを電弧現象と称する。リレー接点電圧の使用電圧が上昇する時、電弧現象によりリレーが受けることができる電弧遮断回数を大幅に減衰する。リレーは、上記電弧現象を改善する為、外付け式電子回路の接点でスイッチの両端をオフオンする方式を介し、電弧現象を改善する。但し、上記改良方式は、有限空間を占拠する欠陥を有するだけでなく、更に、業者の製造コストの困難を増加する。
【０００６】
これに鑑みて、本考案者は、該項の産業の長年の実務経験により、リレーの開発及び実験を行い、ようやく、「電弧現象遮断器を具えるリレー」を考案し、主に、外蓋の接点スイッチをオフオンする位置に対応する箇所に永久磁石を設ける設計を利用し、永久磁石の磁性作用力により電弧に影響を及ぼし、電弧を迅速に消滅するまで引き伸ばし、この方式を採用することは、構造が簡単であり、組み立てが容易であり、業者の生産コストを低減できる等の効果を有する。
【先行技術文献】
【特許文献】
【０００７】
【特許文献１】特開平５−２０５５９０号公報
【考案の概要】
【考案が解決しようとする課題】
【０００８】
本考案は、外蓋の接点スイッチをオフオンする位置に対応する箇所に永久磁石を設ける設計であり、永久磁石の磁性作用力により電弧に影響を及ぼし、電弧を迅速に消滅するまで引き伸ばし、この方式を採用することは、構造が簡単であり、組み立てが容易であり、業者の生産コストを低減できる等の効果を有し、このように、本考案の目的及び効果を達成する。
【課題を解決するための手段】
【０００９】
上記の目的及び効果を達成する為、「電弧遮断を具えるリレー」は、底台と磁性吸引部材と、外蓋と、を含み、そのうち、
該磁性吸引は、底台上に設置され、該磁性吸引部材は、２つの接点スイッチ及び複数の端子を含み、該２つの接点スイッチの間に隙間を有し、該複数の端子は、その末端が該底台底端まで貫通設置される。該外蓋一端に収容溝を設け、該外蓋の収容溝は、該底台上に被せ設けられ、磁性吸引部材の接点スイッチが収容溝内に位置し、該外蓋は、該２つの接点スイッチ周側の何れか一側に対応して内向きに側溝を凹設し、且つ該側溝内に該２つの接点スイッチに対応する永久磁石を設置し、
このようにして、リレーは、永久磁石の磁性作用力によって、該接点スイッチの動作が発生するアークに影響を及ぼし、電弧は、磁性作用力を受けて引き伸ばされ、迅速に消滅される。
【００１０】
上記外蓋は、収容溝内に仕切り板を設け、且つ該仕切り板は、該２つの接点スイッチの間の隙間に位置する。
【００１１】
上記永久磁石は、該２つの接点スイッチの前後左右の何れか一側に位置する。
【００１２】
本考案の「電弧遮断を具えるリレー」は、第２形態の実施例を有し、それは、底台、磁性吸引部材及び外蓋を含み、そのうち、
該外蓋の一端に収容溝を設け、該収容溝の溝底に複数の外蓋を貫通する貫通孔を設け、該外蓋一側に少なくとも１つの側溝を設け、且つ該少なくとも１つの側溝は、少なくとも１つの永久磁石を設置し、該底台密封蓋は、該外蓋の収容溝の溝口箇所に設置され、該磁性吸引部材は、底台上に設置され、該収容溝内に位置し、該磁性吸引部材は、２つの接点スイッチ及び複数の端子を含み、該少なくとも１つの永久磁石は、該２つの接点スイッチの何れか一側方向に位置し、該２つの接点スイッチの間に隙間を有し、該複数の端子の末端は、該貫通孔外に貫通設置され、
このように、リレーは、永久磁石の作用力により、該少なくとも２つの接点スイッチの動作が発生する電弧に影響を及ぼし、電弧は、磁性作用力を受けて引き伸ばされて迅速に消滅する。
【００１３】
上記外蓋は、収容溝内に仕切り板を設け、該仕切り板は、該２つの接点の間の隙間に位置する。
【００１４】
本考案の「電弧遮断を具えるリレー」は、第３形態の実施例を有し、それは、底台、磁性吸引部材及び外蓋を含み、そのうち、
該磁性吸引部材は、底台上に設置され、且つ磁性吸引部材は、２つの接点スイッチ及び複数の端子を含み、該２つの接点スイッチの間に隙間を有し、該底蓋の一側に収容溝を有し、該外蓋の収容溝は、該底台上に被さり、磁性吸引部材の接点スイッチが収容溝内に位置し、該外蓋は、収容溝底部に外蓋を貫通する複数の貫通孔を設け、該磁性吸引部材の複数の端子は、該複数の貫通孔に貫通設置され、更に、収容溝内において、該２つの接点スイッチの間の隙間に対応して仕切り板を設け、且つ該仕切り板は、透過孔を設け、該透過孔は、該２つの接点スイッチに対応する永久磁石を設け、
このように、リレーは、永久磁石の作用力により、該少なくとも２つの接点スイッチの動作が発生する電弧に影響を及ぼし、電弧は、磁性作用力を受けて引き伸ばされて迅速に消滅する。
【００１５】
従って、本考案は、実用性及び進歩性を具える考案ということができ、産業界に推進し、社会大衆に公開するに値する。
【考案の効果】
【００１６】
本考案は、外蓋の接点スイッチをオフオンする位置に対応する箇所に永久磁石を設ける設計であり、永久磁石の磁性作用力により電弧に影響を及ぼし、電弧を迅速に消滅するまで引き伸ばし、この方式を採用することは、構造が簡単であり、組み立てが容易であり、業者の生産コストを低減できる等の効果を有し、このように、本考案の目的及び効果を達成する。
【図面の簡単な説明】
【００１７】
【図１】本考案の分解状態立体説明図である。
【図２】本考案の磁性吸引部材の部分分解立体説明図である。
【図３】本考案の組み合わせ状態立体説明図である。
【図４】本考案の図３の線分ＡＡの断面説明図である。
【図５】本考案の図３の線分ＢＢの断面説明図である。
【図６】本考案の第２実施例の分解状態立体説明図である。
【図７】本考案の第２実施例の磁性吸引部材の分解立体説明図である。
【図８】本考案の第２実施例の組み合わせ立体説明図である。
【図９】本考案の図８の線分ＣＣの断面説明図である。
【図１０】本考案の第３実施例の分解状態立体説明図である。
【図１１】本考案のリレーを外部ブリッジ回路に応用した説明図である。
【図１２】本考案のリレーを外部ブリッジ回路に応用した説明図である。
【考案を実施するための形態】
【００１８】
本考案は、外蓋の接点スイッチのオフオン動作する位置に対応する箇所に永久磁石を設ける設計であり、永久磁石の磁性作用力が電弧に影響し、電弧を消滅するまで神速に引き延ばし、この方式を採用することは、構造が簡単で、組み立てが容易で、業者の生産コストを低減する等の効果を有し、これにより本子案の目的及び効果を達成する。上記の目的及び効果を達成する為、本考案は、以下に実施例を挙げ、図面を参照し、図１及び図５に示すように、それは、底台１、磁性吸引部材２及び外蓋３を含み、そのうち、
該磁性吸引部材２は、底台１に設置し、該磁性吸引部材２は、２つの接点スイッチ２１及び複数の端子２２を含み、該２つの接点スイッチ２１の間に隙間２３を有し、該複数の端子２２の末端は、該底台１底端まで貫通設置され、
該磁性吸引部材２は、更に、リール２０１と、リール２０１両端の間に設置される支持構造２０２と、リール２０１両端の間に巻き付けられるコイル２０３と、リール２０１に被覆するコイル２０３の中間位置に設けられる鉄芯２０４と、志位幸三２０２上に設置される磁極２０５と、磁極３０５の一端に設けられる挿入片２０６と、を含み、該複数の端子２２は、リール２０３上に設置され、コイル２０３と電気接続するコイル端子２２１と、入力端子２２２と、出力端子２２３と、出力端子２２３に電気設置され、且つ挿入片２０６に設置される中弾片２２４と、を含み、上記接点スイッチ２１は、入力端子２２２と、中弾性片２２４と、出力端子２２３と、からオン又はオフを構成する回路スイッチであり、
該外蓋３の一端に、収容溝３１を設け、該外蓋３の収容溝３１は、該底台１上に被せ設けられ、磁性吸引部材２の接点スイッチ２１は、収容溝３１内に位置し、該外蓋３は、該２つの接点スイッチ２１周側の何れか一側に対応して内向きに側溝３２を凹設し、且つ該側溝３２内に該２つの接点スイッチ２１に対応する永久磁石４を設置し、該外蓋３は、収容溝３１内に仕切り板３３を設け、且つ該仕切り板３３は、該２つの接点スイッチ２１の間の隙間２３に位置する。
【００１９】
リレーがコイル端子２２１により通電する時、コイル２０３に流れる電流が電磁効果を発生し、鉄芯２０４を介して磁極２０５を磁性吸引し、且つ挿入片２０６末端が磁極２０５に伴って動作し、挿入片２０６の他端に中弾性片２２４を連動させ、入力端子２２２と接触させ、該入力端子２２２、中弾性片２２４及び出力端子２２３を導通し、回路をオン又はスイッチし、コイル２０３が断電時、磁性吸引効果が消失し、磁極２０５を介して挿入片２０６を連動し、挿入片２０６から中弾性片２２４を引っ張り復位させ、
リレーが断電時、磁極２０５が間接的に中弾性片２２４の復位を連動し、この時、永久磁石４を外蓋３の側溝３２内に設置し、且つ永久磁石４の該２つの接点スイッチ２１の位置に対応し、その磁性作用力が該２つの接点スイッチ２１がオフオン時に発生する電弧に影響を及ぼし、迅速に電弧を消滅するまで引き伸ばし、この方式を採用することは、構造が簡単で、組み立てが容易で、業者の生産コストを低減する等の効果を有する。
【００２０】
本考案の「電弧遮断を具えるリレー」は、第２形態の実施例を有し、図面を参照し、図６〜図９に示すように、それは、底台１と、磁性吸引部材２と、外蓋３と、を含み、そのうち、
該外蓋３一端は、収容溝３１を設け、該収容溝３１の溝底に外蓋３を貫通する複数の貫通孔３４を設け、該外蓋３の一側は、少なくとも１つの側溝３２を設け、且つ該少なくとも１つの側溝３２は、少なくとも１つの永久磁石４を設置し（ここでは、２つの側溝３２及び２つの永久磁石４を例とする）、該底台１は、該外蓋に設ける収容溝３１の溝口に被せられ、該磁性吸引部材２は、底台１上に設置され、該収容溝３１内に位置し、該磁性吸引部材２は、２つの接点スイッチ２１及び複数の端子２２を含み、該少なくとも１つの永久磁石４は、阿木２つの接点スイッチ２１の何れか一側方向に位置し（ここでは、永久磁石４が接点スイッチ２１上方に位置するものを例とするが、接点スイッチ２１の四方の何れか一側に位置することもできる）、該２つの接点スイッチ２１の間に隙間２３を有し、該複数の端子２２末端は、該貫通孔３４該に貫通設置され、該外蓋３は、収容溝３１内に仕切り板３３を設け、且つ該仕切り板３３は、該２つの接点スイッチ２１の間の隙間２３に位置する。
【００２１】
本考案の「電弧遮断を具えるリレー」は、第３形態の実施例を有し、図面を参照し、図１０に示すように、それは、底台１、磁性吸引部材２及び外蓋３を含み、そのうち、
該磁性吸引部材２は、底台１上に設置され、且つ磁性吸引部材２は、２つの接点スイッチ２１及び複数の端子２２を含み、該２つの接点スイッチ２１の間に隙間を有し、該底蓋３の一側に収容溝３１を有し、該外蓋３の収容溝３１は、該底台１上に被さり、磁性吸引部材２の接点スイッチ２１が収容溝３１内に位置し、該外蓋３は、収容溝３１底部に外蓋３を貫通する複数の貫通孔３４を設け、該磁性吸引部材２の複数の端子２２は、該複数の貫通孔３４に貫通設置され、更に、収容溝３１内において、該２つの接点スイッチ２１の間の隙間に対応して仕切り板２１を設け、且つ該仕切り板２１は、透過孔３５を設け、該透過孔３５は、該２つの接点スイッチ２１に対応する永久磁石４を設ける。
【００２２】
本考案のリレーが外部ブリッジ回路に運用される使用状態に関し、図１１及び図１２に示す電子回路説明図のように、図面中の図１１は、中弾性片２２４が負荷を直列接続し、図１２は、入力端子２２２が負荷を直列接続し、リレー外部のブリッジ電子回路を達成し、従って、電流が中弾性片２２４一端に沿って入力され、接点スイッチ２１を経由し、入力端子２２２を経過し、電流は、他の入力端子２２２から接点スイッチ２１を経由し他の中弾性片２２４に達し、直列のブリッジ回路を形成する。
【符号の説明】
【００２３】
１  底台
２  磁性吸引部材
２０１  リール
２０２  支持構造
２０３  コイル
２０４  鉄芯
２０５  磁極
２０６  挿入片
２１  接点スイッチ
２２  端子
２２１  コイル端子
２２２  入力端子
２２３  出力端子
２２４  中弾性片
２３  隙間
３  外蓋
３１  収容溝
３２  側溝
３３  仕切り板
３４  貫通孔
３５  透過孔
４  永久磁石
【図１】
0003173878.tif 000003
【図２】
0003173878.tif 000004
【図３】
0003173878.tif 000005
【図４】
0003173878.tif 000006
【図５】
0003173878.tif 000007
【図６】
0003173878.tif 000008
【図７】
0003173878.tif 000009
【図８】
0003173878.tif 000010
【図９】
0003173878.tif 000011
【図１０】
0003173878.tif 000012
【図１１】
0003173878.tif 000013
【図１２】
0003173878.tif 000014